(57)【要約】【課題】熱交換器の熱交換能力を向上させて筐体の小型化を図る一方、風量設定が大であっても除霜能力の低下防止が可能な室内機を提供する。【解決手段】筐体２内に設ける熱交換器６を垂直部６ａと、後方傾斜部６ｂと、水平部６ｃと、下方傾斜部６ｄとで構成することにより熱交換器６の高さを縮小するとともに熱交換器全体を大きくして熱交換能力を向上させ、水平部６ｃの下部に、開閉パネル８ａ、８ｂと、排水樋９ａ、９ｂとからなる結露水回収手段８を設ける。開閉パネル８ａ、８ｂは冷房時に閉じ、暖房時は破線で示す位置まで回動させて開放する。このような構成であれば、除霜時の風量が低下し風量設定が大であっても除霜能力の低下が防止され、暖房時は風量が増大し暖房能力が向上する。なお、排水樋９ａ、９ｂの水は図示されてない水路を介して熱交換器６の垂直部６ａの下部に設けられた前部露受皿９に回収する。【選択図】  図１
2004198067.tif 000002
【特許請求の範囲】
【請求項１】
筐体の前面及び上面に設けられた吸込口と、前面下部に設けられた吹出口とを結ぶ空気通路に、垂直部と、同垂直部の上端を折曲して後方に傾斜させた後方傾斜部と、同後方傾斜部の上端を折曲して後方に略水平に延出させた水平部と、同水平部の後端を折曲して下方に傾斜させた下方傾斜部とからなる熱交換器と、前記水平部の下部に位置し前記水平部の結露水を回収する結露水回収手段と、前記熱交換器で熱交換された空気を前記吹出口へ送出する送風ファンとを設け、前記垂直部の下部に前部露受皿を、前記下方傾斜部の下部に後部露受皿を設けるとともに、同後部露受皿の水を前部露受皿に導く水路を設けてなることを特徴とする空気調和機の室内機。
【請求項２】
前記結露水回収手段が、端部同士を前記水平部の中央直下で重合させ、前後に傾斜させた屋根状の一組の開閉パネルと、同開閉パネルの下部前後に設けられた排水樋と、これら両排水樋の水を前記前部露受皿に直接又は間接的に導く水路とからなり、前記開閉パネルを冷房運転時に閉じるようにしてなる請求項１記載の空気調和機の室内機。
【請求項３】
前記結露水回収手段が、前記水平部の下部前後間に逆八の字状に設けられた一対の開閉パネル又は固定パネルと、これら開閉パネル又は固定パネルから流下する水を回収する排水樋と、同排水樋の水を前記前部露受皿に直接又は間接的に導く水路とからなり、前記開閉パネルを冷房運転時に閉じるようにしてなる請求項１記載の空気調和機の室内機。
【請求項４】
前記結露水回収手段が、低部左右間に排水孔を有する中部露受皿と、同中部露受皿から流下する水を回収する排水樋と、同排水樋の水を前記前部露受皿に直接又は間接的に導く水路とからなる請求項１記載の空気調和機の室内機。
【発明の詳細な説明】
【０００１】
【発明の属する技術分野】
本発明は空気調和機に係わり、詳しくは、筐体の小型化を図るとともに、熱交換器をより大きなものにして熱交換能力および熱交換率を向上させるようにした室内機の構造に関する。
【０００２】
【従来の技術】
従来の室内機は、例えば、その筐体の前面及び上面に設けられた吸込口と、前面下部に設けられた吹出口とを結ぶ空気通路に、垂直部と、同垂直部の上端を折曲して後方に傾斜させた後方傾斜部と、同後方傾斜部の後端を折曲して下方に傾斜させた下方傾斜部とからなる熱交換器と、同熱交換器で熱交換された空気を前記吹出口へ送出する送風ファンとを設け、前記垂直部の下部に前部露受皿を、前記下方傾斜部の下部に後部露受皿を設けるとともに後部露受皿の水を前部露受皿に導く水路を設けた構成であった。
【０００３】
このような室内機においては、デザイン性に優れた形状が強く要求されるようになり、また同室内機を据えつける壁面のスペースの点からも、小型でスリムな形状が要求されている。これらの要求を満たすには熱交換器の熱交換能力を向上させ、その分前記筐体の小型化を図る必要があるが、熱交換能力を向上させるとなると熱交換器の大型化は避けられず、従来通りの構造では熱交換器が縦方向または横方向に拡大され、筐体に求められる小型化の要求が満たせなくなる。また、近年は省エネルギーのために室内機の大風量化が進み、その影響で除湿性能が低下するという新たな問題も生じている。
【０００４】
上記の問題点を解消しようとした室内機としては（例えば、特許文献１参照）があるが、これでも要求を十分に満たせるものではなかった。
【０００５】
【特許文献１】
特開２００１ー１１６３４７公報（第３ー４頁、第１図）
【０００６】
【発明が解決しようとする課題】
本発明においては、上記の問題点に鑑み、熱交換器全体の熱交換能力を向上させて筐体の小型化を図れるようにした空気調和機の室内機を提供することを目的としている。
【０００７】
【課題を解決するための手段】
本発明は上記の課題を解決するためになされたもので、筐体の前面及び上面に設けられた吸込口と、前面下部に設けられた吹出口とを結ぶ空気通路に、垂直部と、同垂直部の上端を折曲して後方に傾斜させた後方傾斜部と、同後方傾斜部の上端を折曲して後方に略水平に延出させた水平部と、同水平部の後端を折曲して下方に傾斜させた下方傾斜部とからなる熱交換器と、前記水平部の下部に位置し前記水平部の結露水を回収する結露水回収手段と、前記熱交換器で熱交換された空気を前記吹出口へ送出する送風ファンとを設け、前記垂直部の下部に前部露受皿を、前記下方傾斜部の下部に後部露受皿を設けるとともに、同後部露受皿の水を前部露受皿に導く水路を設けてなる構成とする。
【０００８】
なお、前記結露水回収手段が、端部同士を前記水平部の中央直下で重合させ、前後に傾斜させた屋根状の一組の開閉パネルと、同開閉パネルの下部前後に設けられた排水樋と、これら両排水樋の水を前記前部露受皿に直接又は間接的に導く水路とからなり、前記開閉パネルを冷房運転時に閉じるようにしてなる構成とする。
【０００９】
または、前記結露水回収手段が、前記水平部の下部前後間に逆八の字状に設けられた一対の開閉パネル又は固定パネルと、これら開閉パネル又は固定パネルから流下する水を回収する排水樋と、同排水樋の水を前記前部露受皿に直接又は間接的に導く水路とからなり、前記開閉パネルを冷房運転時に閉じるようにしてなる構成とする。
【００１０】
または、前記結露水回収手段が、低部左右間に排水孔を有する中部露受皿と、同中部露受皿から流下する水を回収する排水樋と、同排水樋の水を前記前部露受皿に直接又は間接的に導く水路とからなる構成とする。
【００１１】
【発明の実施の形態】
以下、本発明の実施の形態を図１〜図４に基づいて説明する。
図１は本発明の第１の実施の形態を示す室内機の側断面図、図２は同第１の実施の形態を示す要部斜視図、図３は本発明の第２の実施の形態を示す室内機の側断面図、図４は本発明の第３の実施の形態を示す要部斜視図である。
【００１２】
図において、１は空気調和機の室内機で、同室内機１の筐体２は上面に吸込口２ｂを設けたベース２ａと、同ベース２ａの前面に装着され前面に開口部３ａを設け、前面下部に吹出口５とを設けた前面パネル３と、同前面パネル３の前面に装着され吸込口４ａを有する前面グリル４とで構成され、前記筐体２内の前記吸込口４ａおよび２ｂと前記吹出口５とを結ぶ空気通路に垂直部６ａと、同垂直部６ａの上端を折曲して後方に傾斜させた後方傾斜部６ｂと、同後方傾斜部６ｂの上端を折曲して後方に略水平に延出させた水平部６ｃと、同水平部６ｃの後端を折曲して下方に傾斜させた下方傾斜部６ｄとで構成される熱交換器６と、水平部６ｃの下部に位置させ同水平部６ｃの結露水を回収する結露水回収手段８と、熱交換器６により熱交換された空気を吹出口５へ送風する送風ファン７とを設け、前記垂直部６ａの下部に前部露受皿９を、前記下方傾斜部６ｄの下部に後部露受皿１０を設け、これら両者間に後部露受皿１０の水を前部露受皿９に導く水路（図示省略）を設けた構成になっている。
【００１３】
結露水回収手段８は、端部同士を前記水平部６ｃの中央直下で重合させ、前後に傾斜させた屋根状の一組の開閉パネル８ａ、８ｂと、同開閉パネル８ａ、８ｂの下部前後に設けられた排水樋９ａ、９ｂと、これら両排水樋９ａ、９ｂの水を前記前部露受皿９に直接又は間接的に導く図示されてない水路とからなり、前記開閉パネル８ａ、８ｂを冷房運転時に閉じるよう構成されている。
【００１４】
このような構成であれば、熱交換器６がより大きなものとなり、熱交換量が増大し、冷房時は開閉パネル８ａ、８ｂが閉じることにより水平部６ｃを通過する風量が減少するため、風量設定が「強」であっても除湿性能の低下が抑えられ、また、冷房運転が終了し所定時間が経過すると開閉パネル８ａ、８ｂは破線で示す位置まで回動するようになっているので例えば暖房運転においては特に水平部６ｃを通過する風量が増大し、暖房能力を向上させることができる。
【００１５】
次に、図３に示す第２の実施の形態について説明する。
先に説明した第１の実施の形態との違いは水平部６ｃの下部に設けられた結露水回収手段８のみで、これは水平部６ｃの下部前後間に逆八の字状に設けられた一対の開閉パネル８ｃおよび８ｄと、これら開閉パネル８ｃおよび８ｄから流下する水を回収する排水樋９ｃと、同排水樋９ｃの水を前部露受皿９に直接又は間接的に導く図示されてない水路とからなり、開閉パネル８ｃおよび８ｄは冷房運転時に、破線で示された垂直方向から逆八の字状になるまで回動させ、水平部６ｃから落ちる結露水を排水樋９ｃに回収するようになっている。
このような構成であれば、排水樋９ｃが一つだけで済むのでコストおよび組立の面で前者より有利となる。
【００１６】
図４は、水平部６ｃの下部に設ける結露水回収手段の第３の実施の形態を示したもので、これは低部左右間に排水孔（開口部）11ａを有する中部露受皿11と、同中部露受皿11から流下する水を回収する排水樋12とからなり、この排水樋12には同排水樋12の水を前記後部露受皿10に導く水路13が一体に形成された構成となっている。
このような構成であれば、可動部がないのでコストはより安価なるが暖房運転時の通気抵抗は前記第１および第２の実施の形態に比して多少大きくなる。
【００１７】
【発明の効果】
以上説明したような構成による室内機であれば、筐体内部の熱交換器が垂直部と、同垂直部の上端を折曲して後方に傾斜させた後方傾斜部と、同後方傾斜部の上端を後方に折曲して略水平に延出させた水平部と、同水平部の後端を折曲して下方に傾斜させた下方傾斜部とで構成されたことにより、熱交換器の高さが縮小されたにも係わらず熱交換器全体は大きくなり、熱交換能力が向上し、これにより筐体の小型化が図れる一方、水平部の下部に開閉パネルと排水樋とからなる結露水回収手段を設けたことにより水平部からの結露水の飛散が防止されるとともに、開閉パネルは冷房時に閉じられ、暖房時に開放されるようになっているので風量設定が大であっても除霜能力の低下防止および暖房能力の向上が図れることになる。
【図面の簡単な説明】
【図１】本発明の第１の実施の形態を示す室内機の側断面図である。
【図２】本発明の第１の実施の形態を示す要部斜視図である。
【図３】本発明の第２の実施の形態を示す室内機の側断面図である。
【図４】本発明の第３の実施の形態を示す要部斜視図である。
【符号の説明】
１  空気調和機の室内機
２  筐体
２ａ  ベース
２ｂ  吸込口
３  前面パネル
３ａ  開口部
４  前面グリル
４ａ  吸込口
５  吹出口
６  熱交換器
６ａ  垂直部
６ｂ  後方傾斜部
６ｃ  水平部
６ｄ  下方傾斜部
７  送風ファン
８  結露水回収手段
８ａ  開閉パネル
８ｂ  開閉パネル
８ｃ  開閉パネル
８ｄ  開閉パネル
９  前部露受皿
９ａ  排水樋
９ｂ  排水樋
９ｃ  排水樋
10  後部露受皿
11  中部露受皿
11ａ  排水孔（開口部）
12  排水樋
12ａ  水路
【図１】
2004198067.tif 000003
【図２】
2004198067.tif 000004
【図３】
2004198067.tif 000005
【図４】
2004198067.tif 000006